(57)【特許請求の範囲】
【請求項１】
ケース及びディスプレイパネルで構成され、前記ケースの側面に露出されるディスプレイモジュールと、
前記ケース内に設置されるホストと、を備える一体型パソコンであって、
前記ホストは、
前記ディスプレイパネル及び前記ケース外の外部電源に電気的に接続される電源モジュールと、
前記電源モジュール及び前記ディスプレイパネルに電気的に接続され、内部電源を有する電池モジュールと、
前記電源モジュール、前記電池モジュール、及び前記ディスプレイパネルにそれぞれ電気的に接続される回路基板と、を更に含み、
前記回路基板上は、
前記外部電源を選択的に受電し、常態では第１動作周波数で動作し、或いは前記内部電源を受電し、第２動作周波数で動作するプロセッサーユニットと、
前記電源モジュールの電圧レベルを動的に検知し、前記電圧レベルに合わせて前記電源モジュールを無効にして前記電池モジュールを作動するコントロールユニットと、を少なくとも電気的に設置させ、
前記プロセッサーユニットは前記電池モジュールの前記内部電源を受電し、前記第１動作周波数で所定時間動作し、その後、前記第２動作周波数でバッファータイムの間動作して前記一体型パソコンをシャットダウンし、前記バッファータイムは前記所定時間より長い事を特徴とする、一体型パソコン。
【請求項２】
前記ホストは、前記電源モジュール及び前記電池モジュールにそれぞれ電気的に接続される充電回路を更に備え、前記充電回路は前記電源モジュールにより前記外部電源を受電して前記電池モジュールへ伝送し、前記電池モジュールが前記外部電源を受電して前記内部電源として蓄電する事を特徴とする、請求項１に記載の一体型パソコン。
【請求項３】
一体型パソコンの電源管理方法であって、
電源モジュールが外部電源をプロセッサーユニットへ伝送させるステップと、
前記プロセッサーユニットが前記外部電源を受電させ、常態では第１動作周波数で動作するステップと、
コントロールユニットが前記電源モジュールの電圧レベルを動的に検知させ、前記電圧レベルに合わせて前記電源モジュールのオフにし、同時に電池モジュールを作動させるステップと、
前記電池モジュールにより内部電源を前記プロセッサーユニットへ供給するステップと、
前記コントロールユニットにより前記プロセッサーユニットを制御させて前記電池モジュールの前記内部電源を受電させ、前記第１動作周波数で所定時間動作させるステップと、
その後、前記第２動作周波数で前記所定時間よりも長いバッファータイムの間動作して前記一体型パソコンをシャットダウンするステップと、を含む事を特徴とする、一体型パソコンの電源管理方法。
【請求項４】
前記電源モジュールが前記外部電源を前記電池モジュールへ伝送するステップと、
前記電池モジュールが前記外部電源を受電し、前記内部電源として蓄電させるステップを更に含む事を特徴とする、請求項３に記載の一体型パソコンの電源管理方法。
【請求項５】
前記電源モジュールが前記外部電源を充電回路へ伝送するステップと、
前記充電回路が前記外部電源を前記電池モジュールへ伝送し、前記外部電源が前記電池モジュールに対して充電を行うステップと、を含む事を特徴とする、請求項４に記載の一体型パソコンの電源管理方法。
【発明の詳細な説明】
【技術分野】
【０００１】
本発明は、パソコンに関し、より詳しくは、一体型パソコンに関する。
【背景技術】
【０００２】
パソコンシステムは既に現代の社会生活に不可欠なものとなり、技術の進歩に伴い様々な応用が求められる。ハードウェア性能の劇的な進化のみならず、フレームワーク全体も多様に発展し、デスクトップパソコンシステムからノートブックパソコンシステムに至るまで、それぞれ機能性と携帯性という２つの異なるニーズに対し異なるシステムのフレームワークが発展している。例えばノートブックパソコンには、更に軽量小型薄型化されたネットブックやタブレットパソコン等がその発展形として存在し、その一方でデスクトップパソコンシステムはその発展形として一体型パソコンというシステムフレームワークが存在している。
【０００３】
一般的な一体型パソコンのシステムフレームワークは従来のデスクトップパソコンからホストとディスプレイ装置を分立させてフレームワークとして整合しており、ディスプレイ装置内には一体式の設置方式によりホストを増加するように設計され、分立した２つの異なる装置を整合するのみならず、体積が小さいという長所があり、多くの不要な外部接続配線を減らせ、同時に装置の移動性という利便性を有する。
【先行技術文献】
【特許文献】
【０００４】
【特許文献１】台湾特許第２９８１２３号
【発明の概要】
【発明が解決しようとする課題】
【０００５】
しかしながら、充電池を有する構造のノートブックパソコンに比べ、従来の一体型パソコンはデスクトップパソコンシステムと同様に外部電源に頼らねばならず、外部電源により電力を供給させるシステムはある種の状況下では不安定になる現象が見られ、例えば急な停電や外部電源から供給される電圧の不安定化等が起こりうる。このため、ユーザーが予期せぬ停電時にも短時間暫定的に正常に作業できるよう、従来の方法ではデスクトップパソコンと同様に、一体型パソコンも外部の無停電電源装置（Uninterrupted Power Supply、UPS）に接続し、ユーザーが実行中のソフトウェアやゲームを即時保存可能にし、正常にコンピュータをシャットダウンさせてデータの消失を防ぐ。
【０００６】
しかし、現在のＵＰＳの体積及び重量は共に大き過ぎ、パソコンを置く作業台上の空間をかなり占領するため、パソコンデスクや机の作業台に設置するには不向きである。また、無停電電源装置の設置時には配線が必要になり、配線の手順も複雑になる。一体型パソコンは機能性と省スペース性を兼ね備え、配線手順の簡略化及び移動性という特性を有する製品であるため、もし一体型パソコンに無停電電源装置を外付けさせれば、空間を占領させる上配線の手順の複雑になるほかに、無停電電源装置の重量という制限も加わり一体型パソコンの移動性という利便性に影響を及ぼし、上述の一体型パソコンがディスプレイとパソコンホストとを整合させて一体化するという効果と目的を達成出来なくなる。
【０００７】
そこで、本発明者は上記の欠点が改善可能と考え、鋭意検討を重ねた結果、合理的設計で上記の課題を効果的に改善する本考案の提案に到った。
【０００８】
本発明は、このような従来の問題に鑑みてなされたものである。上記課題解決のため、本発明は、従来の一体型パソコンが外付け電源からの電力の供給を突然中断されて正常に動作出来なくなる問題並びに一体型パソコンが外部に無停電電源装置を設置させるために省スペース化できず、配線手順の簡略化及び移動性の高さという目的が達成困難になり、使用上の不便をきたすという問題を解決させる一体型パソコン及びその電源管理方法を提供することを主目的とする。
【課題を解決するための手段】
【０００９】
上述した課題を解決し、目的を達成するために、本発明に係る一体型パソコンは、
ケース及びディスプレイパネルで構成され、前記ケースの側面に露出されるディスプレイモジュールと、
前記ケース内に設置されるホストと、を備え、
前記ホストは、
前記ディスプレイパネル及び前記ケース外の外部電源に電気的に接続される電源モジュールと、
前記電源モジュール及び前記ディスプレイパネルに電気的に接続され、内部電源を有する電池モジュールと、
前記電源モジュール、前記電池モジュール、及び前記ディスプレイパネルにそれぞれ電気的に接続される回路基板と、を更に含み、
前記回路基板上は、
前記外部電源から選択的に受電し、常態では第１動作周波数で動作し、或いは前記内部電源を受電し、第２動作周波数で動作するプロセッサーユニットと、
前記電源モジュールの電圧レベルを動的に検知させ、前記電圧レベルに合わせて前記電源モジュールを無効にして前記電池モジュールを作動し、前記プロセッサーユニットを制御し前記第１動作周波数から前記第２動作周波数へと下げて動作するコントロールユニットを少なくとも電気的に設置させることを特徴とする。
【００１０】
この好ましい実施例では、プロセッサーユニットは電池モジュールの内部電源を受電し、第１動作周波数で所定時間動作し、第２動作周波数でバッファータイムに動作し、バッファータイムは所定時間より長いことを特徴とする一体型パソコンである。
【００１１】
この好ましい実施例では、本発明は、ホストは、電源モジュール及び電池モジュールにそれぞれ電気的に接続される充電回路を更に備え、充電回路は電源モジュールにより外部電源を受電させて電池モジュールへ伝送させ、電池モジュールが外部電源を受電させて内部電源として蓄電させることを特徴とする一体型パソコン。
【００１２】
この好ましい実施例では、電源モジュールが外部電源をプロセッサーユニットへ伝送するステップと、
プロセッサーユニットが外部電源を受電し、常態では第１動作周波数で動作するステップと、
コントロールユニットが電源モジュールの電圧レベルを動的に検知し、電圧レベルに合わせて電源モジュールのオフにし、同時に電池モジュールを作動するステップと、
電池モジュールにより内部電源をプロセッサーユニットへ供給するステップと、
コントロールユニットによりプロセッサーユニットを制御して第１動作周波数から第２動作周波数へと下げて動作するステップと、を含むことを特徴とする一体型パソコンの電源管理方法である。
【００１３】
この好ましい実施例では、プロセッサーユニットが電池モジュールの内部電源を受電し、第１動作周波数で所定時間動作するステップと、
第２動作周波数でバッファータイムに動作させ、バッファータイムは所定時間より長いステップを更に含むことを特徴とする一体型パソコンの電源管理方法である。
【００１４】
この好ましい実施例では、本発明は、電源モジュールが外部電源を電池モジュールへ伝送するステップと、
電池モジュールが外部電源を受電させ、内部電源として蓄電させるステップを更に含むことを特徴とする一体型パソコンの電源管理方法である。
【発明の効果】
【００１５】
本発明の電源モジュール及び電池モジュールを同時に配置する一体型パソコンによると、一体型パソコンは、電力システムが安定している環境では常態で電源モジュールが受電する外部電源により動作し、電力システムが不安定な場合は、コントロールユニットが選択的に電源モジュールを無効にして電池モジュールを作動する。同時に、コントロールユニットによりプロセッサーユニットを制御して周波数を下げ、電池モジュールが安定的に内部電源をプロセッサーユニットへ供給するほか、電池モジュールによる電気エネルギーの消耗を減らし、一体型パソコンは外部電源が停電しても一定時間正常な動作を維持し、ユーザーはデータの保存及び正常なシャットダウンを行えるだけの十分な時間が得られる。
【図面の簡単な説明】
【００１６】
【図１】本発明に係る一実施形態による一体型パソコンの分解概略図である。
【図２】本発明に係る一実施形態による一体型パソコンの電源管理方法の一実施態様によるステップのフローチャート図である。
【図３】本発明に係る一実施形態による一体型パソコンの電源管理方法の二実施態様によるステップのフローチャート図である。
【図４】本発明に係る一実施形態による一体型パソコンの電源管理方法の三実施態様によるステップのフローチャート図である。
【図５】本発明に係る二実施形態による一体型パソコンの分解概略図である。
【図６】本発明に係る二実施形態による一体型パソコンの電源管理方法のステップのフローチャート図である。
【発明を実施するための形態】
【００１７】
以下に図面を参照して本発明を実施するための形態について、詳細に説明する。なお、本発明は、以下に説明する実施形態に限定されるものではない。
［一実施形態］
まず、本発明の一体型パソコンの一実施形態について説明する。本発明の一実施形態の構成を図１から図４に示す。
【００１８】
図１は本発明に係る一実施形態による一体型パソコン１０の分解概略図であり、図２は本発明に係る一実施形態による一体型パソコン１０の電源管理方法の一実施態様によるステップのフローチャート図である。本発明に係る一実施形態による一体型パソコン１０はディスプレイモジュール１００及びホスト２００を備える。ディスプレイモジュール１００はケース１１０及びディスプレイパネル１２０により構成され、ケース１１０は第１ケース１１１及び第２ケース１１２からなる。第１ケース１１１と第２ケース１１２との間には納置空間が形成され、第１ケース１１１の側面には開口部１１３が形成される。ディスプレイパネル１２０はケース１１１の納置空間内に設置され、開口部１１３を遮蔽して開口部１１３に部分的に露出される。ホスト２００はケース１１０の納置空間内に設置され、ホスト２００は電源モジュール２１０、電池モジュール２２０及び回路基板２３０を備え、ケース１１０内のフレーム３００にそれぞれ設置される。電源モジュール２１０はディスプレイパネル１２０及びケース１１０の外の外部電源（図示せず）に電気的に接続される。電池モジュール２２０は電源モジュール２１０及びディスプレイパネル１２０に電気的に接続され、電池モジュール２２０は内部電源を蓄電し、例えば５Ｃの大電流（C rate）を出力する電池である。回路基板２３０は電源モジュール２１０、電池モジュール２２０、及びディスプレイパネル１２０にそれぞれ電気的に接続され、回路基板２３０は少なくともプロセッサーユニット２４０及びコントロールユニット２５０を電気的に配置する。
【００１９】
プロセッサーユニット２４０は電源モジュール２１０からの外部電源を選択的に受電し、常態では第１動作周波数で動作し、或いは電池モジュール２２０からの内部電源を受電し、より低い第２動作周波数で暫定的に動作する。コントロールユニット２５０は電源モジュール２１０の電圧レベルの動的な検知に用いられ、電圧レベルに基づき電源モジュール２１０を無効にして電池モジュール２２０を作動し、プロセッサーユニット２４０に供給される電力を電源モジュール２１０から電池モジュール２２０へと切り替える。また、コントロールユニット２５０はプロセッサーユニット２４０の動作周波数を制御して第１動作周波数から第２動作周波数へと下げる。第１動作周波数と第２動作周波数との範囲は約８００ＭＨｚから３６００ＭＨｚであり、プロセッサーユニット２４０の正常な動作を維持して消耗を減らし、プロセッサーユニット２４０のコアパワーを約２４．９９ワットから約１１．３７ワットへと下げる。
【００２０】
このほか、本実施形態による一体型パソコン１０の電源管理は、まず電源モジュール２１０により外部電源をプロセッサーユニット２４０（図２のステップ３０１）へと伝送する。次に、プロセッサーユニット２４０が外部電源を受電した後、常態では第１動作周波数で（図２のステップ３０３）動作し、ユーザーはディスプレイパネル１２０に表示されるウィンドウインターフェースによりワードプロセッサソフトウェア或いはゲームソフトウェアの操作を実行する。この過程に於いて、コントロールユニット２５０は電源モジュール２１０の電圧レベルを動的に検知し、外部電源が安定的に供給されているかを判断する。また、外部電源が停電や電圧などで不安定（例えば電圧が降下している等）な場合は、正常の８５％から９０％、ないしは更に低いレベルへと下げ、コントロールユニット２５０に電源モジュール２１０の電圧レベルの低下を検知し、電圧レベルの検知結果に基づき電源モジュール２１０及び作動電池モジュール２２０（図２のステップ３０５）を無効にし、電池モジュール２２０にプロセッサーユニット２４０（図２のステップ３０７）へと内部電源を供給する。
【００２１】
同時に、コントロールユニット２５０はプロセッサーユニット２４０の動作周波数を制御し第１動作周波数から第２動作周波数へと下げ、プロセッサーユニット２４０を低めの動作周波数で動作して消耗（図２のステップ３０９）を減らす。
【００２２】
ちなみに、本実施形態によるコントロールユニット２５０はマイクロコントローラ（ＭＣＵ）でも、回路基板２３０のファームウェア或いはＢＩＯＳ（Basic Input/Output System）でもよく、ユーザーは実際の応用時の様々な需要や条件に合わせて最適な種類のコントロールユニット２５０を選択させることが可能である。本発明はコントロールユニット２５０とマイクロコントローラを実施形態の例として説明しているが、当該技術分野に習熟する者ならば、実際の需要に合わせて本発明のコントロールユニット２５０の種類を選択したり組み合わせたりする事が可能であり、本発明は実施態様のものに制限されない。
【００２３】
また、本実施形態のステップ３０９のうち、コントロールユニット２５０がプロセッサーユニット２４０を制御して第１動作周波数から第２動作周波数へと下げて動作する具体的な方式は、システム管理割り込み（System Management interrupt）方式である。ＡＣＰＩ（Advanced Configuration and Power Interface）、或いは非ＡＣＰＩモード（Non-ACPI mode）で動作するＳＭＩのピンをトリガーした後、プロセッサーユニット２４０にコントロールユニット２５０のプログラムコードを実行させ、プロセッサーユニット２４０の特定のレジスタ、例えばＭＳＲｓ（Model-Specific Registers）やレシオ／クロックレジスタ（RATIO/Clock register）を利用して調整し、更にはプログラマブルクロックジェネレータ（programming clock generator）の制御によりシステム周波数を変更しても良い。
【００２４】
これ以外の本実施形態のステップ３０９のコントロールユニット２５０によりプロセッサーユニット２４０を制御させ第１動作周波数から第２動作周波数へと下げて動作する具体的な方式は、システム操作割り込み（System Control interrupt）方式である。ＡＣＰＩモードで動作するＳＣＩのピンをトリガーした後、ＡＣＰＩのオペレーティングシステムまたはドライバが関連するドライバへ通知し、ＢＩＯＳのＡＳＬコード（ACPI Source Language Code）を呼び出し、ＡＳＬコードを用いてシステム周波数を変更してもよい。また、他の本実施形態のステップ３０９のコントロールユニット２５０によりプロセッサーユニット２４０を制御して第１動作周波数から第２動作周波数へと下げて動作する具体的な方式は、ハードウェアのプロセッサーユニット或いはクロックジェネレータにより生成される信号により直接システム周波数を変更しても良い。上述の様に、ユーザーがプロセッサーユニット２４０の動作周波数を下げる具体的な方法は、実際の応用時の様々な需要や条件に合わせて異なる方法を選択する。
【００２５】
図３は本発明に係る一実施形態による一体型パソコン１０の電源管理方法の二実施態様によるステップのフローチャート図である。本発明の一体型パソコン１０の二実施態様による電源管理方法と、一実施態様による電源管理方法において実施するステップとは大方同じである。両者の差異は、本発明の電源管理方法の二実施態様では、プロセッサーユニット２４０が電池モジュール２２０の内部電源を受電した後、プロセッサーユニット２４０はまず第１動作周波数で所定時間（図３のステップ４０１）動作し、その後第２動作周波数でバッファータイムに動作し、バッファータイムは所定時間（図３のステップ４０３）より長い等のステップを更に含む点である。例えば、一体型パソコン１０の外部電源が停電した場合、コントロールユニット２５０は電圧レベルの変化を検知し、即電源モジュール２１０を無効にして電池モジュール２２０を作動し、電池モジュール２２０から内部電源をプロセッサーユニット２４０へ供給する。
【００２６】
プロセッサーユニット２４０は内部電源を受電してからすぐには動作周波数を下げず、プロセッサーユニット２４０は第１動作周波数での動作を一定時間持続する。次に、コントロールユニット２５０は所定時間内にプロセッサーユニット２４０を制御して第１動作周波数から第２動作周波数動作へ下げ、上述の所定時間はコントロールユニット２５０が電圧レベルの変化を検知する。プロセッサーユニット２４０を制御させて周波数を下げさせる動作の反応時間、例えば２、３秒、或いは１分等の時間内に周波数を下げるプロセスが実行される。その他、上述の周波数を下げる過程に於いて、同時に電池モジュール２２０がプロセッサーユニット２４０へと出力する電流の量も、例えば本来５Ｃの電流量を３Ｃへと減らし、電池モジュール２２０に蓄電される内部電源をプロセッサーユニット２４０へバッファータイム内に供給して正常な動作を維持し、例えば１０から３０分のバッファータイム内に正常に動作させ、ユーザーにデータを保存後にシャットダウンしたり、外部電源の回復を待ち給電を再開する。
【００２７】
本発明では、外部電源が回復し給電を再開すると、コントロールユニット２５０は電圧レベルの回復に従い電池モジュール２２０及び作動電源モジュール２１０を無効にし、プロセッサーユニット２４０が外部電源を受電後、コントロールユニット２５０はプロセッサーユニット２４０を制御して動作周波数を第２動作周波数から第１動作周波数へと上げさせ、プロセッサーユニット２４０に本来の動作効率を発揮させる。また、一体型パソコン１０が再び電源モジュール２１０に外部電源を受電させると、電源モジュール２１０は外部電源をプロセッサーユニット２４０へと供給する以外、外部電源を電池モジュール２２０へも供給して電池モジュール２２０に充電させる。
【００２８】
図４によれば、本発明に係る一実施形態による一体型パソコン１０の電源管理方法の三実施態様では、電源モジュール２１０は外部電源を電池モジュール２２０（図４のステップ５０１）へと伝送して、電池モジュール２２０が外部電源の受電後に内部電源（図４のステップ５０３）として蓄電してもよい。
【００２９】
このため、本発明の一体型パソコン１０が外部電源を正常に安定的に供給されると、電源モジュール２１０により電池モジュール２２０に対して充電を行い、電源モジュール２１０により外部電源を電池モジュール２２０へと伝送し、電池モジュール２２０に受電させると共に外部電源を内部電源として蓄電する事で、一体型パソコン１０の電池モジュール２２０は使用上非常に便利になる以外に、余計な充電器を取り付けるコスト及びそのための配線と空間が節約される。
【００３０】
本発明の長所は下述のとおりである。一体型パソコンは本来の電源モジュールのほか電池モジュールを内蔵する。同時にコントロールユニット（例えばファームウェア或いはＢＩＯＳ）により給電の電源の切り替え及びプロセッサーユニットの動作周波数の制御を行い、一体型パソコンに電力システムが不安定な環境下でも一定の動作効率を維持する。電力の消耗と電池モジュールの電力を考慮し、外部電源からの供給が中断したり供給が不安定になると、本発明のコントロールユニットはプロセッサーユニットを制御して本来の高めの第１動作周波数から第２動作周波数へ下げて動作し、低めの動作周波数で動作して一体型パソコンの電源の消耗を減らし、電池モジュールからの給電時間を延長し、ユーザーに目下のデータを保存させた後にシャットダウンを完了させるのに十分な時間を与える。
【００３１】
外部電源からの安定的な給電が回復すると、電源回路は電位の変化を起こす。これをシステム電源の再起動命令とし、ファームウェア或いはＢＩＯＳ等によりコントロールユニットは電源の再供給命令を受信した後、システムの常態での運用の周波数を回復する。
【００３２】
その他、使用上の安定性については、パソコンシステムの動作周波数が突然変更されたために引き起こされる問題を回避する。本発明の一体型パソコン及びその電源管理方法は、外部電源が停電した場合、プロセッサーユニットに電池モジュールの内部電源を受電して本来の第１動作周波数での動作を維持して暫定的に一定時間動作し、電源の節約を考慮し、プロセッサーユニットに第２動作周波数へと下げて動作し、本発明の一体型パソコンに第２動作周波数で長時間動作可能にし、ユーザーはファイルを即時保存するための操作時間の余裕が得られる。これによりユーザーが操作させる上での安定性のほか、ユーザーは落ち着いてデータを保存させてシャットダウンを完了させる事ができる。さらには、ユーザーは無停電電源装置を追加購入する必要もなくなり、本発明の一体型パソコンの良好な動作効率を維持させながら、省スペース化と移動の利便性の長所を同時に兼ね備える。
［二実施形態］
次に、本発明の一体型パソコンの二実施形態について説明する。
【００３３】
本発明の二実施形態の構成を図５から図６に示す。図５は本発明に係る二実施形態による一体型パソコン２０の分解概略図であり、図６は本発明に係る二実施形態による一体型パソコン２０の電源管理方法のステップのフローチャート図である。
【００３４】
本発明の二実施形態による一体型パソコン２０と一実施形態による一体型パソコン１０の相似点及び相違点は、本実施形態による一体型パソコン２０のホスト２００は電源モジュール２１０と電池モジュール２２０とにそれぞれ電気的に接続される充電回路２６０を更に備え、充電回路２６０は電源モジュール２１０により外部電源を受電し、外部電源を電池モジュール２２０へ伝送し、電池モジュール２２０は充電回路２６０により外部電源を受電させて外部電源を内部電源として蓄電する。
【００３５】
このため、本実施形態による一体型パソコン２０の電源管理は、電源モジュール２１０により外部電源を充電回路２６０（図６のステップ６０１）に伝送させるステップと、充電回路２６０により外部電源を電池モジュール２２０へ伝送させ、外部電源により電池モジュール２２０に対し充電（図６のステップ６０３）を行うステップを更に含む。
【００３６】
本発明の一体型パソコン及びその電源管理方法は、電源モジュール及び電池モジュールの配置により、コントロールユニットにより電力源を選択的に切り替えると共に異なる電力源に合わせてプロセッサーユニットの動作周波数を制御し、一体型パソコンに電力システムが不安定な環境下でも一定の動作効率を維持する。一体型パソコンが停電にあってもユーザーに処理中のデータを保存し、データ保存完了後にパソコンシステムを正常にシャットダウンするのに十分な時間を与えてデータの損失を防ぐほか、パソコンシステムの損壊をも回避する。その他、無停電電源装置を追加する必要がないため、本発明の一体型パソコンが良好な動作効率を維持しながら、同時に従来の一体型パソコン同様の小さな体積を有し、外部配線を減らし移動にも適する長所も有する。
【００３７】
上述の実施形態は本発明の技術思想及び特徴を説明するためのものに過ぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３８】
１０…  …一体型パソコン
２０…  …一体型パソコン
１００…  …ディスプレイモジュール
１１０…  …ケース
１１１…  …第１ケース
１１２…  …第２ケース
１１３…  …開口部
１２０…  …ディスプレイパネル
２００…  …ホスト
２１０…  …電源モジュール
２２０…  …電池モジュール
２３０…  …回路基板
２４０…  …プロセッサーユニット
２５０…  …コントロールユニット
２６０…  …充電回路
３００…  …フレーム
【図１】
0005548753.tif 000002
【図２】
0005548753.tif 000003
【図３】
0005548753.tif 000004
【図４】
0005548753.tif 000005
【図５】
0005548753.tif 000006
【図６】
0005548753.tif 000007